(57)【特許請求の範囲】
【請求項１】
柄部と、前記柄部に取り付けた刀身部と、前記刀身部の先端から投射される投射物と、前記柄部の内部に構成した投射物の押出し機構と、前記柄部に取り付けた前記投射物を収納するカートリッジとからなり、
前記投射物の押出し機構を、略扇形で、一端の要にあたる部分を前記柄部に、常時反時計方向へ回動するように付勢して取り付け、前端の湾曲部分に歯部を一定幅構成し、前端の側部の一方を突出して押圧部を構成した回転体と、
大歯車と同軸上に一体に構成した小歯車からなり、前記小歯車が前記回転体の歯部と噛合するように、前記柄部に回動可能に取り付けた歯車と、
長方形の板状で前部に押出部を構成し、後部は一側面に歯部を構成した作動部を構成し、柄部の背面部に構成したガイド溝の中に前後移動可能に配置され、前記大歯車と噛合して投射物を刀身部に押し出す押出し杆によって構成したことを特徴としたシューティング玩具。
【発明の詳細な説明】
【技術分野】
【０００１】
本発明はシューティング玩具に関するもので、特に刀剣の形状をしていて刀身の先端から相手に向けて円板形状の投射物を投射するシューティング玩具に関する。
【背景技術】
【０００２】
従来より投射物を投射するいわゆるシューティング玩具が使用されていた。これらの玩具は投射物を標的に向かって投射するためにスプリング等の投射手段を備えたものが多く、例えば特許文献１に示すようなアーチェリー型のシューティング玩具が提案されていた。
【先行技術文献】
【特許文献】
【０００３】
【特許文献１】特開２０１５−１００４９０号公報
【０００４】
特許文献１のシューティング玩具（１）は、銃身（２）と、銃身（２）内に挿通され、その一端から出入可能な先端を有する打金（４）と、銃身（２）と打金（４）との間に設けられ、銃身（２）の基端から先端に向けて打金（４）を付勢するスプリング（３ａ、３ｂ）とから構成されたもので、スプリング（３ａ、３ｂ）により打金（４）が銃身（２）内でその基端から先端に向けて付勢されて、銃身（２）から飛び出る打金（４）の先端により投射球（Ｂ）が投射されるものである。
【発明の概要】
【発明が解決しようとする課題】
【０００５】
前記特許文献１記載の発明において、投射球を投射するためにスプリンが必要とされるため構造が複雑となり、また形状も通常の弓形であるため平凡であり玩具としての面白さや意外性に欠けるものであった。
本発明は、このような従来例のシューティング玩具に鑑みてなされたもので、シューティング玩具と刀剣の形をした玩具を組み合わせたものであり、玩具の作用が意外性に富み、遊ぶことが面白くなる安全なシューティング玩具を提供することを目的とする。
【課題を解決するための手段】
【０００６】
請求項１に記載の発明は、柄部と、前記柄部に取り付けた刀身部と、前記刀身部の先端から投射される投射物と、前記柄部の内部に構成した投射物の押出し機構と、前記柄部に取り付けた前記投射物を収納するカートリッジとからなり、前記投射物の押出し機構を、略扇形で、一端の要にあたる部分を前記柄部に、常時反時計方向へ回動するように付勢して取り付け、前端の湾曲部分に歯部を一定幅構成し、前端の側部の一方を突出して押圧部を構成した回転体と、大歯車と同軸上に一体に構成した小歯車からなり、前記小歯車が前記回転体の歯部と噛合するように、前記柄部に回動可能に取り付けた歯車と、長方形の板状で前部に押出部を構成し、後部は一側面に歯部を構成した作動部を構成し、柄部の背面部に構成したガイド溝の中に前後移動可能に配置され、前記大歯車と噛合して投射物を刀身部に押し出す押出し杆によって構成したことを特徴としたシューティング玩具である。
【発明の効果】
【０００９】
請求項１記載のシューティング玩具によれば、使用者が手で握る柄部と投射物を投射する刀身部と投射物からなる簡易な構成でありながら、刀身部から投射物が飛び出すという意外性に富んだ動きをするものであり趣向を凝らした玩具として遊んでいても飽きがこない。また柄部に投射物の押出し機構と投射物を収納するカートリッジを構成したから、多くの投射物を連続して投射することができて遊び方に変化がでて面白さが増すのである。さらに投射物の押出し機構を柄部に回動可能に固定した回転体と歯車と押出し杆によって構成したから、投射物の押出しが柄部を握ったまま行え、簡単に連続して投射物を投射させることができる等の効果を奏する。
【図面の簡単な説明】
【００１２】
【図１】実施形態１のシューティング玩具の正面斜視図
【図２】実施形態１のシューティング玩具の背面斜視図
【図３】実施形態１のシューティング玩具の正面図
【図４】実施形態１のシューティング玩具の分解斜視図
【図５】実施形態１のシューティング玩具の一部切り欠き正面図
【図６】実施形態１のシューティング玩具の作動状態を示す一部切り欠き正面図
【図７】図６における回転体を省略した図
【図８】実施形態１のシューティング玩具の使用説明図
【発明を実施するための形態】
【００１３】
本発明のシューティング玩具の実施形態１を図１乃至図８に基づいて説明する。シューティング玩具は、柄部１と柄部１の先端に一体に構成した刀身部２と、柄部１の先端に設けた投射物である駒９を収納するカートリッジ３からなる。
【００１４】
前記柄部１は、略同形状の正面部１１と背面部１３を重ね合わせて作成したもので内部に駒の押出し機構４が構成されている。
【００１５】
前記駒９は、円板形状で安全性を保つために繊維等の柔らかい素材からなり、勢いよく投射するために中心部分に錘を構成してある。
【００１６】
前記刀身部２は、カーブした長方形状の２枚の表面板２１，２１からなり、このカーブしている両端縁に沿って細木からなる縁部材２２，２２を固定してある。つまりこの縁部材２２，２２を両端に挟んだ状態で、表面板２１，２１を重ね合わせて固定したものである。
これにより表面板２１と表面板２１の内部空間に駒９の投射時の通路となるスペース２５が構成されるのである。
【００１７】
前記柄部１の先端で刀身部２の入り口付近にカートリッジ３を構成する。このカートリッジ３は円筒形状で底部に蓋３１を構成し、内部に駒９を複数個収納するものである。なお図示はしないが蓋３１にコイルばねを取り付け駒９，９・・を常に柄部１側へ付勢している。
なお、柄部１の先端のカートリッジ３を取り付ける部分には、駒９を通すための孔１５が穿設してある。
【００１８】
前記柄部１の内部には駒の押出し機構４が構成されている。この駒の押出し機構４は、駒９を前方（図５中左方）に押し出すもので、回転体４０と歯車５０と押出し杆６０と押出し杆の前後の移動を案内するガイド溝７０からなる。
【００１９】
前記回転体４０は略扇形で、一端の要にあたる部分に軸穴４８を穿設し、前端の湾曲部分に歯部４２を一定幅構成し、前端の側部の一方を突出させて押圧部４１を構成してある。前記回転体４０は、軸穴４８を貫通する軸４９によって柄部１の背面部１３の軸穴１９及び正面部１１の軸穴（図示せず）に固定することで、柄部１に回動可能に取り付けられるのである。またこの回転体４０と正面部１１の間には、図示しないばねが設けられていて、このばねによって回転体４０は常時反時計方向へ回動するように付勢されている。
【００２０】
前記歯車５０は、大歯車５１と同軸上に一体に構成した小歯車５３からなり、歯車５０の軸穴５２を貫通する軸５９を柄部１の背面部１３の軸穴１８及び正面部１１の軸穴（図示せず）に固定することで柄部１に回動可能に取り付けられる。
【００２１】
前記押出し杆６０は、長方形の板状であり前部に押出部６３を構成し、後部は一側面に歯部６２を構成した作動部６１を構成する。この押出し杆６０は柄部１の背面部１３に構成したガイド溝７０の中に前後移動可能に配置されている。押出し杆６０をガイド溝７０内へ設置した状態では、前記歯車５０の大歯車５１と押出し杆６０の作動部６１の歯部６２は噛合しており、大歯車５１の回転に伴って押出し杆６０は前後移動するのである。
【００２２】
上記のように構成した実施形態１の作用を説明する。
まずシューティング玩具の作り方を説明すると、柄部１の先端に刀身部２を固定し、背面部１３に複数の駒９を入れたカートリッジ３を取り付け、押出し杆６０をガイド溝７０内へ設置してから歯車５０と回転体４０とをそれぞれ軸５９、４９で柄部１の内部に回動可能に軸着し駒の押出し機構４を構成し、その後背面部１３と正面部１１を固定する。
【００２３】
一方、刀身部２は、表面板２１，２１に縁部材２２，２２を両端に挟んで重ね合わせて固定し、内部にスペース２５を構成した状態で、その端部を前記柄部１に取り付けて、図１、２に示すシューティング玩具が作成される。
【００２４】
使用に際し刀身部２より駒９を投射するときには、図５及び図６に示すように駒９をスペース２５内に押し出す。このとき柄部１を手で握り回転体４０の突起部４１を指で柄部１側に押し込むと、回転体４０が軸４９を中心に時計回りに回動する。このとき回転体４０の先端部の歯部４２は歯車５０の小歯車５３と噛合しているから、歯車５０は軸５９を中心に反時計方向に回動する。
【００２５】
これに伴い、歯車５０の大歯車５１と押出し杆６０の作動部６１の歯部６２は噛合しているから、大歯車５１の回転に伴って押出し杆６０はガイド７０に沿って前方に移動していく。
【００２６】
前記押出し杆６０の前進に伴い、カートリッジ３内の最上段の駒９は押出し杆６０によって押されて刀身部２のスペース２５へと押し出されていく（図６参照）。そこで図８に示すように、柄部１を握って前方に振り出すと駒９はカーブしている縁部材２２に沿って移動し刀身部２の先端から勢いよく投射されるのである。その後回転体４０は前記ばねの力で元の位置に戻るから、それに伴って押出し杆６０も後退して元の位置に戻り図５の状態となるのである。
【００２７】
駒９は、カートリッジ３内に複数収納されていて、コイルばねで底部から押されているため駒９を連続して押し出して投射することができる。またカートリッジ３と駒の押出し機構４を構成せずに孔１５より駒を１個ずつ入れて使うこともできる。
【００２８】
以上のように本実施形態によれば、簡単な構成でありながら刀身部から駒が飛び出すという意外性にとんだ動きをするものであり、玩具として趣向を凝らしたものであり遊んでいても飽きずかつ安全に遊べる。駒を投射しなくても通常の刀剣玩具として遊ぶこともできる。
駒の押出しが柄部を握ったまま行え、簡単にたくさんの駒を連続して駒を投射させることができるため面白さが増すのである。
【符号の説明】
【００２９】
１  柄部                ２  刀身部
３  カートリッジ        ４  駒の押出し機構
９  駒                  １５  孔
２１  表面板            ２２  縁部材  
２５  スペース          ４０  回転体
５０  歯車              ６０  押出し杆
７０  ガイド溝
【図１】
0006608289.tif 000002
【図２】
0006608289.tif 000003
【図３】
0006608289.tif 000004
【図４】
0006608289.tif 000005
【図５】
0006608289.tif 000006
【図６】
0006608289.tif 000007
【図７】
0006608289.tif 000008
【図８】
0006608289.tif 000009